(57)【要約】【課題】簡易な操作でウィンドウの制御を行うことが可能なウィンドウ制御方法およびシステムを提供する。【解決手段】画面領域に表示されたウィンドウのうち、１つのウィンドウにカーソルを合わせて指定すると（ａ）、指定されたウィンドウＷは指定されている時間に応じて拡大されていく。拡大されて、ウィンドウＷが他のウィンドウｗｉと接した後（ｂ）、ウィンドウｗｉはウィンドウＷの拡大に伴って、ウィンドウＷと重ならないように移動されていく（ｃ）。【選択図】　図５
2004094423.tif 000002
【特許請求の範囲】
【請求項１】
利用者のウィンドウに対する指示によりウィンドウを制御する方法であって、
利用者により指定されているウィンドウを認識する段階と、
前記ウィンドウが所定の時間以上指定され続けているかどうかを判断する段階と、
所定の時間以上指定され続けていると判断されたウィンドウのサイズを時間に応じて徐々に変更していく段階と、
を有することを特徴とするウィンドウ制御方法。
【請求項２】
利用者のウィンドウに対する指示によりウィンドウを制御する方法であって、
利用者により指定されているウィンドウを認識する段階と、
前記ウィンドウが所定の時間以上指定され続けているかどうかを判断する段階と、
所定の時間以上指定され続けていると判断されたウィンドウを時間に応じて徐々に拡大していく段階と、
前記ウィンドウの拡大により表示画面上の表示位置が重なることになる他のウィンドウを移動させる段階と、
前記移動されたウィンドウが表示画面に納まらなくなる場合に、当該ウィンドウを縮小する段階と、
を有することを特徴とするウィンドウ制御方法。
【請求項３】
表示装置の画面上に表示されたウィンドウを指定するウィンドウ指定手段と、前記ウィンドウ指定手段により指定されたウィンドウを認識する指定ウィンドウ認識手段と、
前記ウィンドウが所定の時間以上指定され続けているかどうかを判断する指定時間判断手段と、
前記指定時間判断手段により所定の時間以上指定され続けていると判断されたウィンドウのサイズを時間に応じて徐々に変更していくウィンドウサイズ変更手段と、
を有することを特徴とするウィンドウ制御システム。
【請求項４】
表示装置の画面上に表示されたウィンドウを指定するウィンドウ指定手段と、前記ウィンドウ指定手段により指定されたウィンドウを認識する指定ウィンドウ認識手段と、
前記ウィンドウが所定の時間以上指定され続けているかどうかを判断する指定時間判断手段と、
前記指定時間判断手段により所定の時間以上指定され続けていると判断されたウィンドウを時間に応じて徐々に拡大していくウィンドウ拡大手段と、
前記ウィンドウの拡大により表示画面上の表示位置が重なることになる他のウィンドウを移動させるウィンドウ移動手段と、
前記ウィンドウ移動手段により移動されたウィンドウが表示画面に納まらなくなる場合に、当該ウィンドウを縮小するウィンドウ縮小手段と、
を有することを特徴とするウィンドウ制御システム。
【請求項５】
コンピュータに、利用者により指定されているウィンドウを認識する段階、　前記ウィンドウが所定の時間以上指定され続けているかどうかを判断する段階、所定の時間以上指定され続けていると判断されたウィンドウを時間に応じて徐々に拡大していく段階、前記ウィンドウの拡大により表示画面上の表示位置が重なることになる他のウィンドウを移動させる段階、前記移動されたウィンドウが表示画面に納まらなくなる場合に当該ウィンドウを縮小する段階を実行させるためのプログラム。
【発明の詳細な説明】
【０００１】
【産業上の利用分野】
本発明は、コンピュータのＧＵＩとして普及しているウィンドウシステムにおいて、表示するウィンドウを制御する技術に関する。
【０００２】
【従来の技術】
近年のコンピュータのＧＵＩ（グラフィカルユーザーインターフェイス）では、画面に複数のウィンドウを表示するウィンドウシステムがよく使用されている。このようなウィンドウシステムでは、マウスなどのポインティングデバイスによって、表示されているウィンドウの大きさや位置を変更することが可能である。
【０００３】
従来のウィンドウシステムにおけるルートウィンドウ（表示画面全体である画面領域に対応）上でのウィンドウの拡大方法としてよく用いられる方法は利用者がマウスによってウィンドウの外枠や四隅の角をドラッグ（マウスのボタンを押した状態でマウスの位置を移動させる）するものである。また、ウィンドウ上の特定の箇所に対して「ウィンドウの最大化」を割り当てておき、その箇所をマウスでクリックするとウィンドウサイズを即座に画面いっぱいに最大化させる方法も用いられる。例としては、キーボード上の特定のキーをウィンドウ制御用のイベント（移動、拡大、縮小、消去など）に割り当てる方法がある。
【０００４】
【発明が解決しようとする課題】
上記従来のウィンドウ制御方法では、マウスのカーソルをウィンドウの枠や角といったウィンドウの大きさに対して相対的に小さい領域に合わせる操作、およびそれを注意深くドラッグする操作という２つの工程が必要になる。また、ウィンドウの特定の箇所をマウスでクリックしてルートウィンドウいっぱいに最大化する方法では、操作に要する工程は先の方法と比較して少ないが、その反面ウィンドウの大きさの調整ができず、複数のウィンドウをルートウィンドウ上で表示することができないという問題がある。
【０００５】
また、ルートウィンドウ上に複数のウィンドウが存在するとき、拡大するウィンドウ以外の周りのウィンドウについての問題を考えてみる。従来の方法では、あるウィンドウを拡大しても周りのウィンドウの位置・大きさなどの変更は行われず、拡大されたウィンドウと画面領域が重なった場合には、その部分は拡大されたウィンドウが手前に表示され、周りのウィンドウは後側に隠れ一時的に見えなくなる。したがって、２つの画像を比較したいときなど複数のウィンドウに表示されている情報を同時に参照したい場合には、複数のウィンドウの領域を互いに重ならないようにしなければならない。そのために利用者は、参照したいすべてのウィンドウの位置を移動させたり、それぞれの大きさに適切に調節したりする必要があり多くの操作工程が必要となる。
【０００６】
ポインティングデバイスではなくキーボードを使用する場合は、主にキーボードによって入力を行う利用者にとってはキーボードから手を離さずに済むため使い易い側面もある反面、キーボード上の本来別の目的で配置されたキーをウィンドウ制御に割り当て使用するため、直感的に分かりにくく円滑な使用にはかなりの慣れが必要になる。また必要な操作の工程数もポインティングデバイスを使用する場合と比較して多い。
【０００７】
上記のような点に鑑み、本発明は、簡易な操作でウィンドウの制御を行うことが可能なウィンドウ制御方法およびシステムを提供することを課題とする。
【０００８】
【課題を解決するための手段】
上記課題を解決するため、本発明第１の態様では、利用者のウィンドウに対する指示によりウィンドウを制御するにあたり、利用者により指定されているウィンドウを認識する段階、前記ウィンドウが所定の時間以上指定され続けているかどうかを判断する段階、所定の時間以上指定され続けていると判断されたウィンドウのサイズを時間に応じて徐々に変更していく段階、を実行するようにしたことを特徴とする。
本発明第１の態様によれば、ウィンドウのサイズ変更等の制御を行うにあたり、制御するウィンドウを指定している時間の長さに応じて、ウィンドウの大きさの変更を行うようにしたので、目的とするウィンドウ内のどこか１点を指定するという単純な操作でウィンドウの制御が可能となる。
【０００９】
また、本発明第２の態様では、利用者のウィンドウに対する指示によりウィンドウを制御するにあたり、利用者により指定されているウィンドウを認識する段階、前記ウィンドウが所定の時間以上指定され続けているかどうかを判断する段階、所定の時間以上指定され続けていると判断されたウィンドウを時間に応じて徐々に拡大していく段階、前記ウィンドウの拡大により表示画面上の表示位置が重なることになる他のウィンドウを移動させる段階、前記移動されたウィンドウが表示画面に納まらなくなる場合に、当該ウィンドウを縮小する段階を実行するようにしたことを特徴とする。
本発明第２の態様によれば、ウィンドウのサイズ変更等の制御を行うにあたり、制御するウィンドウを指定している時間の長さに応じて、指定しているウィンドウの大きさを拡大し、拡大されたウィンドウが他のウィンドウと重なる場合に、他のウィンドウを移動または縮小するようにしたので、目的とするウィンドウを単純な操作で拡大することが可能となると共に、他のウィンドウも拡大されたウィンドウにより隠されないように画面上に表示させておくことができる。
【００１０】
【発明の実施の形態】
以下、本発明の好適な実施形態について、図面を参照して詳細に説明する。
（１．システム構成）
図１は、本発明に係るウィンドウ制御システムの一実施形態を示す構成図である。図１において、１は表示装置、２はウィンドウ指定手段、３は指定ウィンドウ認識手段、４は指定時間判断手段、５はウィンドウ制御手段、５ａはウィンドウ拡大手段、５ｂはウィンドウ移動手段、５ｃはウィンドウ縮小手段、１０はコンピュータシステムである。
【００１１】
表示装置１は、コンピュータの周辺機器として接続され、コンピュータにより処理された情報を表示出力するためのものであり、ＣＲＴ、ＬＣＤその他周知のディスプレイで実現される。ウィンドウ指定手段２は、表示装置１上に表示されたウィンドウのうち、処理対象となるウィンドウを指定するためのものであり、マウス、タブレット等のポインティングデバイスで実現される。本実施形態では、マウスを用いた場合を想定して説明していく。指定ウィンドウ認識手段３は、ウィンドウ指定手段２によりどのウィンドウが指定されたかを認識する機能を有する。指定時間判断手段４は、コンピュータが管理している時間情報を基に、ウィンドウが指定され続けている時間を計測し、ウィンドウの制御を行うべきかどうかを判断する機能を有する。ウィンドウ制御手段５は、表示装置１の画面に表示されるウィンドウの大きさ、もしくは位置の制御を行うためのものであり、ウィンドウ拡大手段５ａ、ウィンドウ移動手段５ｂ、ウィンドウ縮小手段５ｃを有している。ウィンドウ拡大手段５ａは、ウィンドウ指定手段２により指定されたウィンドウを拡大する機能を有している。ウィンドウ移動手段５ｂは、ウィンドウ指定手段２により指定されたウィンドウが拡大するに伴って重なりが生じる周囲のウィンドウの表示位置を移動させる機能を有する。ウィンドウ縮小手段５ｃは、移動させられたウィンドウが画面領域に納まらなくなる場合に、そのウィンドウを縮小する機能を有する。
【００１２】
コンピュータシステム１０は、ＣＰＵ、メモリ、外部記憶装置等のハードウェア、およびＯＳ（オペレーティングシステム）、アプリケーションプログラム等のソフトウェアにより構成されるコンピュータシステムであり、現実には、パーソナルコンピュータ等で実現される。コンピュータシステム１０内において、指定ウィンドウ認識手段３、指定時間判断手段４、ウィンドウ制御手段５は、専用のプログラムおよびＯＳの機能を利用して実現される。
【００１３】
（２．処理の流れ）
続いて、本発明に係るウィンドウ制御方法について、図１に示したシステムの処理動作と共に説明する。図２は、本発明に係るウィンドウ制御方法の概要を示すフローチャートである。なお、ここでは、指定するウィンドウをＷとして説明する。表示装置１にウィンドウＷが表示されている状態で、利用者がウィンドウ指定手段２により拡大対象とするウィンドウＷを指定すると、指定ウィンドウ認識手段３は、指定されたウィンドウＷを認識する（ステップＳ１）。具体的には、指定しようとするウィンドウ内にカーソルを移動させ、マウスが有するボタンを押すことにより指定が行われる。表示画面上のあるウィンドウＷが指定されたことを認識したら、次にその指定されたウィンドウＷが所定の時間以上持続して指定され続けているかどうかを判断する（ステップＳ２）。具体的には、指定ウィンドウ認識手段３が指定されたことを認識した時点で、指定時間判定手段４がコンピュータシステムの現在時刻を読出し、これを指定開始時刻として管理する。そして、指定ウィンドウ認識手段３がウィンドウ指定手段２によるウィンドウＷの指定を認識している間、現在時刻と指定開始時刻の差分を指定持続時間ｔとして管理し、指定持続時間ｔがあらかじめ設定された長さの時間を超えるかどうかの判断を行う。
【００１４】
ステップＳ２において、ウィンドウが所定の時間以上持続して指定されない場合は、次回のウィンドウ指定を待つ状態となる。一方、ウィンドウＷが所定の時間以上持続して指定され続けた場合は、ウィンドウ制御手段５が、指定されたウィンドウＷのサイズ変更処理を行う（ステップＳ３）。
【００１５】
ここで、ステップＳ３のウィンドウＷのサイズ変更処理の詳細を図３のフローチャートを用いて説明する。本実施形態では、指定されたウィンドウＷのサイズ変更処理として拡大処理を行うものとする。まず、指定されたウィンドウＷの拡大後の縦・横サイズの計算を行うと共に、拡大後の画面上での位置を求める（ステップＳ１１）。具体的には、ウィンドウ拡大手段５ａが、指定されたウィンドウＷの所定時間経過後の拡大サイズを計算し、ウィンドウＷの中心点を変更させないものとして、拡大後の画面上での位置を求める。ただし、拡大後のサイズが画面領域からはみ出す場合には、中心点の代わりに、はみ出す側の辺もしくは点を固定して画面上での位置を求める。なお、拡大サイズの計算は、以下の〔数式１〕を利用して算出する。
【００１６】
〔数式１〕
（ｘ，ｙ）＝（ａＸｔ，ａＹｔ）・・・１＜ｔの場合
（ｘ，ｙ）＝（Ｘ，Ｙ）・・・・・・・ｔ≦１の場合
【００１７】
上記〔数式１〕において、Ｘ、Ｙは、拡大前のウィンドウＷの横、縦の長さ、ｘ、ｙは拡大後のウィンドウＷの横、縦の長さである。ａは拡大速度を決定付ける１以上の定数であり、あらかじめ設定される。ｔは指定持続時間である。指定持続時間ｔは上述のように、指定時間判断手段４による判断に利用されるものであり、本実施形態では、ｔが１秒以下の場合は、ウィンドウサイズを固定とし、ｔが１秒を超えた場合に、ウィンドウサイズを指定持続時間ｔに比例させて拡大させるようにしている。また、拡大後の横の長さ、縦の長さのいずれも、拡大前のサイズの横の長さ、縦の長さに比例するので、ウィンドウＷの横、縦の比率は保ったまま拡大されることになる。
【００１８】
続いて、画面上において、拡大後のウィンドウＷが他のウィンドウｗｉ（ｉ＝１，２，・・・，ｎ｜ｎ：周りのウィンドウ数）と重なるかどうかを判断する（ステップＳ１２）。ステップＳ１２の処理において重なるウィンドウｗｉが存在しないと判断された場合には、指定されたウィンドウＷを拡大したサイズで表示する（ステップＳ１３）。例えば、図４に示すようなウィンドウＷを拡大する場合を考えてみる。なお、図４（ａ）はウィンドウＷの拡大前、図４（ｂ）はウィンドウＷの拡大後の状態を示す。図４に示すように周りに重なるウィンドウがない場合は、指定されたウィンドウＷは指定されている時間に応じて単純に拡大されていく。この場合、ウィンドウ内のフォント、画像などは同じ倍率でそれぞれの相対的位置関係を変えないように拡大される。
【００１９】
一方、ステップＳ１２の処理において重なるウィンドウｗｉが存在すると判断された場合には、重なるウィンドウｗｉの位置を移動できるかどうかの判断を行う（ステップＳ１４）。具体的には、重なるウィンドウｗｉの大きさを変更させずに、指定されたウィンドウＷの拡大分だけ、重なるウィンドウｗｉを移動させた場合に、画面領域からはみ出すことがないかどうかの判断を行う。ステップＳ１４において、重なるウィンドウｗｉが移動可能であると判断された場合には、ウィンドウ移動手段５ｂが、重なるウィンドウｗｉを移動させる（ステップＳ１５）。重なるウィンドウｗｉの移動後は、再度ステップＳ１２において、拡大後のウィンドウＷが他のウィンドウｗｉと重なるかどうかの判断を行う。
【００２０】
ここで、重なるウィンドウを移動させる場合の例を図５に示す。図５において、Ｗは指定されて拡大されるウィンドウ、ｗ１はウィンドウＷの拡大の際に、ウィンドウＷと重なる位置に存在するウィンドウである。図５（ａ）に示すような状態において、ウィンドウＷを指定すると、ウィンドウＷがウィンドウｗ１と重ならない範囲において、ステップＳ１１からステップＳ１３の処理が繰り返されてウィンドウＷが時間に比例して拡大されていく。ウィンドウＷが拡大されて、図５（ｂ）に示すように、ウィンドウＷとウィンドウｗ１が接する状態になった次のタイミングで、ステップＳ１２の重なり判断を行うと、重なると判断されることになる。すると、ステップＳ１４、ステップＳ１５の処理によって、ウィンドウｗ１が移動された後、ステップＳ１３の処理によりウィンドウＷが拡大されることになる。ステップＳ１１→ステップＳ１２→ステップＳ１４→ステップＳ１５→ステップＳ１２→ステップＳ１３の処理が繰り返されることにより、図５（ｃ）に示すように、時間に比例して、ウィンドウＷが拡大されていくと共にウィンドウｗ１が移動されていく。
【００２１】
ステップＳ１４において、重なるウィンドウｗｉを移動できないと判断された場合には、重なるウィンドウｗｉを縮小できるかどうかの判断を行う（ステップＳ１６）。具体的には、指定されたウィンドウＷの拡大分だけ、重なるウィンドウｗｉを縮小した場合に、あらかじめ設定してあるウィンドウの最小サイズより小さくならないかどうかにより判断を行う。ステップＳ１６において、重なるウィンドウｗｉを縮小できると判断された場合には、重なるウィンドウｗｉの縮小を行う（ステップＳ１７）。具体的には、ウィンドウ縮小手段５ｃが、重なるウィンドウｗｉのサイズをステップＳ１６において計算されたサイズに縮小する処理を行う。この場合、ウィンドウ内のフォント、画像などは同じ倍率でそれぞれの相対的位置関係を変えないように縮小される。重なるウィンドウｗｉの縮小後は、再度ステップＳ１２において、指定された拡大後のウィンドウＷが他のウィンドウｗｉと重なるかどうかの判断を行う。
【００２２】
ここで、重なるウィンドウｗｉを縮小させる場合の例を図６に示す。図６は、図５（ａ）〜図５（ｃ）の状態から連続する状態を示している。図５に示すように、ウィンドウＷの拡大に伴って、ウィンドウｗ１が移動されていき、図６（ａ）に示すように、ウィンドウｗ１が画面領域の端まで移動したとする。すると、次のタイミングでステップＳ１４において、ウィンドウｗ１がこれ以上移動できないと判断される。そして、ステップＳ１６およびステップＳ１７の処理により、ウィンドウｗ１が縮小されることになる。ステップＳ１１→ステップＳ１２→ステップＳ１４→ステップＳ１６→ステップＳ１７→ステップＳ１２→ステップＳ１３の処理が繰り返されることにより、図６（ｂ）に示すように、時間に比例して、ウィンドウＷが拡大されていくと共にウィンドウｗ１が縮小されていく。
【００２３】
一方、ステップＳ１６において、重なるウィンドウｗｉを縮小できないと判断された場合には、指定されているウィンドウＷの拡大処理を終了する（ステップＳ１８）。すなわち、ステップＳ３のウィンドウサイズの変更処理を終え、ウィンドウの制御を終了する。なお、本実施形態では、拡大するウィンドウＷと重なるウィンドウｗｉが１つだけの場合について詳述したが、画面領域上に重なるウィンドウｗｉが複数ある場合も同様である。また、拡大するウィンドウＷと重なるウィンドウｗｉが移動することにより、移動されたウィンドウｗｉが他のウィンドウｗｉと重なる場合には、移動されたウィンドウｗｉをウィンドウＷとして、再帰的に処理することにより対応可能であり、これにより、画面領域上のすべてのウィンドウｗｉの移動・縮小処理を行うことができる。例えば、ウィンドウｗ１が移動することにより、移動されたウィンドウｗ１が他のウィンドウｗ２と重なる場合、ウィンドウｗ１をウィンドウＷとして、再帰的に処理するのである。また、指定されたウィンドウＷ以外に複数のウィンドウｗｉが存在する場合、どのウィンドウｗｉを優先して処理すれば良いかが問題になることがある。例えば、ウィンドウＷの上下の位置にそれぞれウィンドウｗ１、ウィンドウｗ２があるとき、どちらを先に移動・縮小するか決定する必要がある。この場合、各ウィンドウｗｉに付与された優先順位に基づいて処理されることになる。優先順位の付与手法としては、種々のものが適用できるが、例えば、最近参照したウィンドウｗｉほど優先度を高く設定するようにすることができる。この場合は、それより前に参照したウィンドウｗｉから順に移動・縮小されていくことになる。最近参照したウィンドウｗｉほど優先度を高く設定するには、画面領域上の各ウィンドウｗｉについて利用者が最後に参照してからの時間をカウントしておき、その時間順にウィンドウｗｉの優先度を設定していくことにより実現できる。
【００２４】
（変形例）
以上、本発明の好適な実施形態について説明したが、本発明は上記実施形態に限定されず、種々の変形が可能である。上記実施形態では、指定持続時間ｔとウィンドウの拡大後のサイズｘ、ｙの関係が〔数式１〕に示したように拡大されるようにしたが、〔数式１〕の代わりに、単純に線形に拡大するようにしても良いし、非線形な関数など任意の関数を適用しても良い。
【００２５】
また、上記実施形態におけるウィンドウ制御の機能としては、既存のウィンドウシステムのウィンドウ拡大・縮小機能を拡張するようにしても良いし、独自のウィンドウシステムとして実現しても良い。
【００２６】
また、上記実施形態では、ウィンドウを拡大・縮小させるときに、ウィンドウ内の文字・画像といったオブジェクトも等倍率で拡大・縮小して相対的位置関係を維持するようにしたが、それ以外の手法をとることも可能である。例えば、ウィンドウのサイズが変更されてもウィンドウ内のオブジェクトの大きさは変更しない手法をとるようにしても良い。
【００２７】
また、上記実施形態では、指定されたウィンドウは、指定持続時間ｔに応じて拡大されるようにしたが、例えば、ウィンドウ指定手段として２つのボタンを有するマウスを適用した場合、一方のボタンを押したときにはウィンドウの拡大、もう一方のボタンを押したときにはウィンドウの縮小を行うようにすることもできる。
【００２８】
また、上記実施形態では、ウィンドウ指定手段としてマウスを用いたが、他のデバイスを用いることも可能である。例えば、タブレット型のインタフェースに適用すれば、タブレット画面に直接指を触れることをマウスのクリックと等価、すなわちウィンドウの指定状態であるとみなし、ウィンドウを指で押す感覚でその拡大操作を行うことが可能となる。
【００２９】
【発明の効果】
以上、説明したように本発明によれば、利用者により指定されているウィンドウを認識し、ウィンドウが所定の時間以上指定され続けているかどうかを判断し、所定の時間以上指定され続けていると判断されたウィンドウのサイズを時間に応じて徐々に変更していくようにしたので、目的とするウィンドウ内のどこか１点を指定するという単純な操作でウィンドウの制御が可能となるという効果を奏する。
【００３０】
また、ウィンドウサイズの変更として拡大を行うようにし、ウィンドウの拡大により表示画面上の表示位置が重なることになる他のウィンドウを移動させ、移動されたウィンドウが表示画面に納まらなくなる場合に、当該ウィンドウを縮小するようにすることにより、目的とするウィンドウを単純な操作で拡大することが可能となると共に、他のウィンドウも拡大されたウィンドウにより隠されないように画面上に表示させておくことができるという効果も奏する。
【図面の簡単な説明】
【図１】本発明に係るウィンドウ制御システムの一実施形態を示す構成図である。
【図２】本発明に係るウィンドウ制御方法の概要を示すフローチャートである。
【図３】図２のＳ３の処理の詳細を示すフローチャートである。
【図４】ウィンドウＷの拡大の様子を示す画面遷移図である。
【図５】ウィンドウＷの拡大とウィンドウｗ１の移動の様子を示す画面遷移図である。
【図６】ウィンドウＷの拡大とウィンドウｗ１の縮小の様子を示す画面遷移図である。
【符号の説明】
１・・・表示装置
２・・・ウィンドウ指定手段
３・・・指定ウィンドウ認識手段
４・・・指定時間判断手段
５・・・ウィンドウ制御手段
５ａ・・・ウィンドウ拡大手段
５ｂ・・・ウィンドウ移動手段
５ｃ・・・ウィンドウ縮小手段
１０・・・コンピュータシステム
Ｗ・・・指定されたウィンドウ
ｗｉ・・・指定されたウィンドウＷ以外のウィンドウ
【図１】
2004094423.tif 000003
【図２】
2004094423.tif 000004
【図３】
2004094423.tif 000005
【図４】
2004094423.tif 000006
【図５】
2004094423.tif 000007
【図６】
2004094423.tif 000008